(57)【特許請求の範囲】
【請求項１】
（Ａ）１００℃における動粘度が１．５〜２０ｍｍ２／ｓの潤滑油基油、（Ｂ）（ｂ−１）重量平均分子量が１万〜５万のポリメタクリレート系粘度指数向上及び（ｂ−２）重量平均分子量が１０万〜１００万のポリメタクリレート系粘度指数向上剤を含み、（ｂ−１）：（ｂ−２）が質量比で２．９：１〜１：４であるポリメタクリレート系粘度指数向上剤、及び（Ｃ）酸価が１．０ｍｇＫＯＨ／ｇ以下である下記の一般式（１）
Ｓ−（ＣＨ２ＣＨ２ＣＯＯＲ）２        ・・・（１）
（式中、Ｒは、炭素数８〜３０の炭化水素基を示す。）
で表される硫黄系化合物を含むことを特徴とする自動変速機用潤滑油組成物。
【請求項２】
（Ｃ）の硫黄系化合物が、前記一般式（１）において、Ｒが炭素数１２〜１５の直鎖状もしくは分岐状のアルキル基である請求項１に記載の自動変速機用潤滑油組成物。
【請求項３】
（Ａ）の潤滑油基油が、（ａ−１）１００℃における動粘度が１．５〜３ｍｍ２／ｓの鉱油もしくは合成油と（ａ−２）１００℃における動粘度が５〜２０ｍｍ２／ｓの鉱油もしくは合成油との混合物である請求項１又は２に記載の自動変速機用潤滑油組成物。
【請求項４】
アルカリ土類金属スルホネート、アルカリ土類金属フェネート及びアルカリ土類金属サリチレートの中から選ばれる一種又は二種以上のアルカリ土類金属系清浄剤、及びコハク酸イミド系分散剤を含む請求項１〜３のいずれかに記載の自動変速機用潤滑油組成物。
【請求項５】
組成物の粘度指数が２４０以上である請求項１〜４のいずれかに記載の自動変速機用潤滑油組成物。
【発明の詳細な説明】
【技術分野】
【０００１】
本発明は自動変速機用潤滑油組成物に関し、さらに詳しくは、伝達トルク容量が大きくかつ耐変速ショック性が良好な、省燃費性に優れる自動変速機用潤滑油組成物に関するものである。
【背景技術】
【０００２】
近年、厳しさを増す環境問題への対応から、各技術分野で厳しい省燃費化の要求が高まっている。自動変速機用潤滑油についても、同様にさらなる省エネルギーへの寄与が強く求められている。
自動変速機用潤滑油の省燃費化の手段としては、伝達トルク容量を大きくすること、すなわち湿式クラッチ部分でのエネルギーロスを抑制することが基本的に重要である。
通常、伝達トルク容量は、走行中における湿式クラッチのすべりを小さくすることによって達成される。このことは、湿式クラッチ間の動摩擦係数（例えば、μ1800：１８００ｒｐｍ時の摩擦係数）が大きい潤滑油によって達成されることを意味している。したがって、そのような自動変速機用潤滑油を開発することが基本的に要求される。
もちろん、変速ショックを小さくするために，（静摩擦係数）／（動摩擦係数）、例えば、μ200／μ1800を小さくすることも不可欠である。
さらに、自動変速機用潤滑油の省燃費化の他の手段としては、潤滑油の低粘度化を図り攪拌抵抗を低減することによって省燃費性の向上を図る方法がある。
しかしながら、潤滑油を低粘度化すると、高温領域においてさらに粘度低下を伴うことによって、潤滑油膜形成能力が大幅に低下することになる。その結果、自動変速機の摺動部材の金属疲労が発生し、そのことによって変速制御が不能となるなど、変速機の耐久性が維持できなくなる恐れが発生する。
また、自動変速機では、低粘度の潤滑油は変速機の油圧制御部において油漏れを引起し、変速制御が不能となる恐れもある。
このように、潤滑油の低粘度化による省燃費性の向上と自動変速機自体の耐疲労性（耐久性）の向上を両立させることは困難な課題である。
さらに、自動変速機油は、使用温度範囲が広いため、粘度指数が高い潤滑油が要求されるが、せん断安定性が良好で、安定した粘度を維持できる潤滑油を得ることは困難である。【０００３】
従来、自動変速機油などの変速機用潤滑油については、例えば、低粘度であっても耐疲労性等に優れる変速機用潤滑油であるとして、低粘度基油（１００℃における動粘度が１．５〜６ｍｍ2／ｓ）と側鎖に長鎖のアルキル基を含まないポリ（メタ）アクリレートを含む変速機用潤滑油組成物が開示されている（特許文献１参照）。
しかし、このような組成物は、粘度指数が充分に高くない（１７０以下）ものであって、高温下において潤滑油の粘度低下が大きく、耐疲労性が低下する恐れがあり、また、低温下では潤滑油の粘度上昇が大きく省燃費性に劣る恐れもある。さらに、伝達トルク容量や変速ショック防止能などについては検討されておらず、更なる改良の余地がある。
【先行技術文献】
【特許文献】
【０００４】
【特許文献１】特開２００６−１１７８５２号公報
【発明の概要】
【発明が解決しようとする課題】
【０００５】
本発明は、このような状況下で、伝達トルク容量が大きく、かつ耐変速ショック性が良好な、省燃費性に優れる自動変速機用潤滑油組成物を提供することを目的とするものである。
また、本発明は、低粘度かつ高粘度指数の潤滑油であっても、せん断安定性及び耐疲労性（耐久性）に優れるとともに、伝達トルク容量が大きく、耐変速ショック性が良好な、省燃費性に優れる自動変速機用潤滑油組成物を提供することを目的とするものである。
【課題を解決するための手段】
【０００６】
本発明者らは、前記の優れた性能を有する変速機用潤滑油組成物を開発すべく鋭意研究を重ねた結果、特定の潤滑油基油、特定の粘度指数向上剤及び特定の硫黄系化合物を含む組成物が、その目的を達成し得ることを見出した。本発明は、かかる知見に基づいて完成したものである。【０００７】
すなわち、本発明は、
（１）（Ａ）１００℃における動粘度が１．５〜２０ｍｍ2／ｓの潤滑油基油、（Ｂ）ポリメタクリレート系粘度指数向上剤、及び（Ｃ）酸価が１．０ｍｇＫＯＨ／ｇ以下である下記の一般式（１）
Ｓ−（ＣＨ2ＣＨ2ＣＯＯＲ）2        ・・・（１）
（式中、Ｒは、炭素数８〜３０の炭化水素基を示す。）
で表される硫黄系化合物を含むことを特徴とする自動変速機用潤滑油組成物、
（２）（Ｃ）の硫黄系化合物が、一般式（１）において、Ｒが炭素数１２〜１５の直鎖状もしくは分岐状のアルキル基である前記（１）に記載の自動変速機用潤滑油組成物、
（３）（Ａ）の潤滑油基油が、（ａ−１）１００℃における動粘度が１．５〜３ｍｍ2／ｓの鉱油もしくは合成油と（ａ−２）１００℃における動粘度が５〜２０ｍｍ2／ｓの鉱油もしくは合成油との混合物である前記（１）又は（２）に記載の自動変速機用潤滑油組成物、
（４）（Ｂ）のポリメタクリレート系粘度指数向上剤が、（ｂ−１）重量平均分子量１万〜５万のポリメタクリレート系粘度指数向上剤である前記（１）〜（３）のいずれかに記載の自動変速機用潤滑油組成物、
（５）（Ｂ）のポリメタクリレート系粘度指数向上剤が、（ｂ−１）重量平均分子量が１万〜５万のポリメタクリレート系粘度指数向上とともに、（ｂ−２）重量平均分子量が１０万〜１００万のポリメタクリレート系粘度指数向上剤を含む前記（１）〜（４）のいずれかに記載の自動変速機用潤滑油組成物、
（６）アルカリ土類金属スルホネート、アルカリ土類金属フェネート及びアルカリ土類金属サリチレートの中から選ばれる一種又は二種以上のアルカリ土類金属系清浄剤、及びコハク酸イミド系分散剤を含む前記（１）〜（５）のいずれかに記載の自動変速機用潤滑油組成物、
（７）組成物の粘度指数が２３０以上である前記（１）〜（６）のいずれかに記載の自動変速機用潤滑油組成物、
を提供するものである。
【発明の効果】
【０００８】
本発明によれば、伝達トルク容量が大きく、かつ耐変速ショック性が良好な、省燃費性に優れる自動変速機用潤滑油組成物を提供することができる。
また、本発明によれば、低粘度かつ高粘度指数の潤滑油であっても、せん断安定性及び耐疲労性（耐久性）に優れるとともに、伝達トルク容量が大きく、かつ耐変速ショック性が良好な、省燃費性に優れる自動変速機用潤滑油組成物を提供することができる。
【発明を実施するための形態】
【０００９】
本発明の自動変速機用潤滑油組成物においては、（Ａ）１００℃における動粘度が１．５〜２０ｍｍ2／ｓ、好ましくは１．５〜１０ｍｍ2／ｓ、特に好ましくは２〜５ｍｍ2／ｓの潤滑油基油を用いる。潤滑油基油の１００℃における動粘度が１．５ｍｍ2／ｓ未満であると、蒸発損失が大きく、金属の疲労寿命を低下させる恐れがある。また、１００℃における動粘度が２０ｍｍ2／ｓを越えると粘性効果が大きいため、省燃費効果が低下する。潤滑油基油としては、鉱油もしくは合成油が用いられる。
本発明における潤滑油基油としては、低粘度を維持しつつ、金属の耐疲労性を高めるために、（ａ−１）成分、及び（ａ−２）成分からなる混合基油を用いることが好ましい。
前記（ａ−１）成分としては、１００℃における動粘度が１．５〜３ｍｍ2／ｓの鉱油または合成油を用いる。（ａ−１）成分の１００℃における動粘度が１．５ｍｍ2／ｓ未満であれば、蒸発損失が多くなる恐れがあり、また、１００℃における動粘度が３ｍｍ2／ｓを越えると、（ａ−２）成分と混合した潤滑油基油（Ａ）の動粘度を低減することができず、省燃費化を充分に達成できないことがある。したがって、（ａ−１）成分の１００℃における動粘度は、１．５〜２．５ｍｍ2／ｓであることがより好ましい。
一方、（ａ−２）成分としては、１００℃における動粘度が５〜２０ｍｍ2／ｓの鉱油または合成油を用いる。１００℃における動粘度が５ｍｍ2／ｓ未満では、潤滑油の耐疲労性を充分に高めることができないことがある。また、１００℃における動粘度が２０ｍｍ2／ｓを越えると、潤滑油基油（Ａ）の動粘度を充分に低減することができず、省燃費化を達成できないことがある。したがって、（ａ−２）成分の１００℃における動粘度は、５〜１０ｍｍ2／ｓであることがより好ましく、５〜７ｍｍ2／ｓであることがさらに好ましい。
【００１０】
前記（Ａ）潤滑油基油、並びに（ａ−１）成分及び（ａ−２）成分としては、それぞれの動粘度の条件を満たす鉱油または合成油を用いる。
ここで鉱油としては、従来公知の種々のものが使用可能であり、例えば、パラフィン基系鉱油、中間基系鉱油、ナフテン基系鉱油などが挙げられ、具体例としては、溶剤精製、水素化精製などによる軽質ニュートラル油、中質ニュートラル油、重質ニュートラル油又はブライトストック、さらには、脱ろうワックスもしくはＧＴＬ  ＷＡＸの異性化によって得られる鉱油などを挙げることができる。
また、合成油としては、やはり従来公知の種々のものが使用可能であり、例えば、ポリα−オレフィン、ポリブテン、ポリオールエステル、二塩基酸エステル、リン酸エステル、ポリフェニルエーテル、アルキルベンゼン、アルキルナフタレン、ポリオキシアルキレングリコール、ネオペンチルグリコール、シリコーンオイル、トリメチロールプロパン、ペンタエリスリトール、更にはヒンダードエステルなどを挙げることができる。
これらの鉱油、合成油は、単独で、あるいは二種以上組み合わせて使用することができ、鉱油一種以上と合成油一種以上とを組み合わせて使用してもよい。
【００１１】
前記潤滑油基油、並びに鉱油及び合成油は、前記それぞれの動粘度の要件を満たすと共に以下の性状を有するものが好ましい。
粘度指数が８０以上であることが好ましく、１００以上がより好ましい。粘度指数が８０以上であれば、油温の変化による粘度変化が小さく、高温下における油膜形成能を良好に保つことができる。
芳香族分（％ＣA）が３以下が好ましく、２以下、さらには１以下、特に０．５以下であることが好ましい。％ＣAが３以下であれば、酸化安定性を高めることができる。
また、酸化安定性が向上する点で、硫黄分含有量が０．０１質量％以下であることが好ましい。
【００１２】
本発明の潤滑油基油（Ａ）が、上記の（ａ−１）成分及び（ａ−２）成分からなる混合基油である場合の（ａ−１）成分と（ａ−２）成分の混合割合については、潤滑油基油全量規準で、前者が５０〜７０質量％、後者が３０〜５０質量％であることが好ましい。
このような潤滑油基油（混合基油）を用いることにより、低粘度であっても耐疲労性を高く保つことができる。
【００１３】
本発明においては、（Ｂ）成分として、ポリメタクリレート系粘度指数向上剤を用いる。ポリメタクリレート系粘度指数向上剤としては、いわゆる非分散型ポリメタクリレートや分散型ポリメタクリレートが含まれる。分散型ポリメタクリレートとしては、例えば、メタクリレートとエチレン性不飽和結合を有する含窒素単量体との共重合体を挙げることができる。前記エチレン性不飽和結合を有する含窒素単量体としては、ジメチルアミノメチルメタクリレート、ジエチルアミノメチルメタクリレート、ジメチルアミノエチルメタクリレート、ジエチルアミノエチルメタクリレート、２−メチル−５−ビニルピリジン、モルホリノメチルメタクリレート、モルホリノエチルメタクリレート、Ｎ−ビニルピロリドン及びこれらの混合物等が挙げられる。
このような、ポリメタクリレート系粘度指数向上剤は、重量平均分子量が、１００００（１万）〜１００００００（１００万）のものを一種又は二種以上を混合して用いることができる。
ポリメタクリレート系粘度指数向上剤を配合することによって、組成物の粘度指数を効果的に高めることができ、高温下においても有効な潤滑膜の形成を助けて、金属疲労の発生を抑え、また、低温下における粘度の上昇を抑制し、省燃費性の向上をもたらす。
【００１４】
前記ポリメタクリレート系粘度指数向上剤の中でも、（ｂ−１）重量平均分子量１００００（１万）〜５００００（５万）のポリメタクリレート系粘度指数向上剤が好ましい。重量平均分子量が１万以上であれば、粘度指数向上効果が発揮され、重量平均分子量が５万以下であれば、良好なせん断安定性を発現し、組成物の初期性能を長期間に亘って維持することができる。
さらに、前記ポリメタクリレート系粘度指数向上剤としては、前記（ｂ−１）重量平均分子量が１万〜５万のポリメタクリレート系粘度指数向上とともに、（ｂ−２）重量平均分子量が１０万〜１００万のポリメタクリレート系粘度指数向上剤を配合することがより好ましい。（ｂ−１）成分とともに（ｂ−２）成分を配合することによって、せん断安定性能を維持しつつ、組成物の粘度指数をさらに高めることができる。
【００１５】
（Ｂ）成分のポリメタクリレート系粘度指数向上剤の配合量は、特に制限はないが、通常、組成物全量規準で、１〜２０質量％の範囲が好ましく３〜１５質量％の範囲がより好ましい。（Ｂ）成分の配合量が、１質量％以上であれば、粘度指数向上効果が認められ、２０質量％以下であれば、せん断安定性の低下を抑制することができる。
また、（ｂ−１）成分とともに（ｂ−２）成分を配合して用いる場合は、（ｂ−１）：（ｂ−２）が、質量比で５：１〜１：５であることが好ましく、４：１〜１：４であることがより好ましい。
（ｂ−１）：（ｂ−２）が質量比で５：１〜１：５であれば、せん断安定性の低下を抑制し、かつ粘度指数向上効果を高めることができる。
【００１６】
本発明においては、（Ｃ）成分として、酸価が１．０ｍｇＫＯＨ／ｇ以下である一般式（１）
Ｓ−（ＣＨ2ＣＨ2ＣＯＯＲ）2        ・・・（１）
（式中、Ｒは、炭素数８〜３０の炭化水素基を示す。）
で表される硫黄系化合物を用いる。
前記一般式（１）において、Ｒで示される炭素数８〜３０の炭化水素基としては、入手の容易性及び溶解性の観点から、炭素数８〜２０、さらには炭素数１２〜１８、特に炭素数１２〜１５の炭化水素基が好ましく、中でも直鎖状、分岐状、環状のアルキル基、特に、直鎖状もしくは分岐状のアルキル基が好ましい。
このような、硫黄系化合物は、例えば、チオジプロピオン酸と炭素数８〜３０の炭化水素基を有するアルコールとから合成することができる。
【００１７】
前記一般式（１）で表される硫黄系化合物の具体例としては、チオジプロピオン酸ジオクチル、チオジプロピオン酸ジ−２−エチルヘキシル、チオジプロピオン酸ジイソオクチル、チオジプロピオン酸ジ−２，４，４、−トリメチルペンチル、チオジプロピオン酸ジノニル、チオジプロピオン酸ジイソノニル、チオジプロピオン酸ジデシル、チオジプロピオン酸ジイソデシル、チオジプロピオン酸ジウンデシル、チオジプロピオン酸ジイソウンデシル、チオジプロピオン酸ジドデシル、チオジプロピオン酸ジイソドデシル、チオジプロピオン酸ジトリデシル、チオジプロピオン酸ジイソトリデシル、チオジプロピオン酸ジテトラデシル、チオジプロピオン酸ジイソテトラデシル、チオジプロピオン酸ジペンタデシル、チオジプロピオン酸ジイソペンタデシル、チオジプロピオン酸ジヘキサデシル、チオジプロピオン酸ジイソヘキサデシル、チオジプロピオン酸ジヘプタデシル、チオジプロピオン酸ジイソヘプタデシル、チオジプロピオン酸ジオクタデシル、チオジプロピオン酸ジイソオクタデシル、チオジプロピオン酸ジイコシル、チオジプロピオン酸ジイソイコシルなどの分岐鎖を有するアルキル基が挙げられる。
【００１８】
本発明の一般式（１）で表される硫黄系化合物は、酸価が１．０ｍｇＫＯＨ／ｇ以下のもの、すなわち酸価を１．０ｍｇＫＯＨ／ｇ以下に調製したものであることを要する。酸価が１．０ｍｇＫＯＨ／ｇを越えるものは、組成物の動摩擦係数を高める効果が低下し、充分な伝達トルク容量を得ることができない。硫黄系化合物は、酸価が０．５ｍｇＫＯＨ／ｇ以下に調製されたものがより好ましい。
なお、酸価は、ＪＩＳ  Ｋ  ２５０１によって測定された値である。
ここで、一般式（１）で表される硫黄系化合物の酸価が１．０ｍｇＫＯＨ／ｇ以下のものを得る方法としては、例えば、原料として、チオジプロピオン酸と炭素数８〜３０の炭化水素基を有するアルコールとを用いて合成する場合に、チオジプロピオン酸１．０モルとアルコール２．０モルの比率とし、チオジプロピオン酸の比率がアルコールより過剰にならない条件で合成すればよい。
【００１９】
前記（Ｃ）成分の配合量としては、特に制限はないが、通常組成物全量規準で、０．０１〜１０質量％の範囲が好ましく、０．０５〜５質量％の範囲がより好ましく、０．１〜３質量％の範囲が特に好ましい。（Ｃ）成分の配合量が、０．０１質量％以上であれば、動摩擦係数が高められ伝達トルク容量の増大が認められ、１０質量％以下であれば、酸化安定性が低下する恐れもない。
【００２０】
本発明においては、さらに、摩擦特性を向上するために、アルカリ土類金属系清浄剤、及びコハク酸イミド系分散剤を配合することが好ましい。
前記アルカリ土類金属系清浄剤としては、アルカリ土類金属スルホネート、アルカリ土類金属フェネート、アルカリ土類金属サリチレート、アルカリ土類金属ホスホネートなどが使用できる。中でも、アルカリ土類金属のスルホネート、フェネート及びサリチレートの中から選ばれる一種又は二種以上のアルカリ土類金属系清浄剤が好ましい。
ここで、アルカリ土類金属としては、カルシウム、マグネシウム、バリウム、ストロンチウムなどが使用できるが、入手の容易性及び摩擦特性向上効果の観点で、カルシウムやマグネシウムが好ましく、特に、カルシウムが好ましい。
また、これらのアルカリ土類金属系清浄剤は、中性、塩基性、過塩基性のいずれであっても良いが、塩基性や過塩基性のものが好ましい。特に塩基価（過塩素酸法）が１５０〜７００ｍｇＫＯＨ／ｇ、さらには２００〜６００ｍｇＫＯＨ／ｇのものがより好ましい。
したがって、いずれも塩基価が１５０〜７００ｍｇＫＯＨ／ｇのカルシウムスルホネート、マグネシウムスルホネート、カルシウムフェネート及びカルシウムサリチレートの中から選ばれる一種又は二種以上のアルカリ土類金属清浄剤が特に好適なものとして用いることができる。
これらアルカリ土類金属清浄剤の配合量は、組成物全量基準で、通常の０．０５〜１０質量％程度であり、好ましくは０．１〜５質量％である。
【００２１】
前記コハク酸イミド系分散剤としては、平均分子量１０００〜３５００のアルキル基又はアルケニル基置換コハク酸イミド（モノイミド型、もしくはビスイミド型）及びその誘導体を用いることが好ましい。
前記コハク酸イミドの誘導体としては、例えば、ホウ素含有炭化水素置換アルキル基又はアルケニル基置換コハク酸イミドが挙げられる。
これらコハク酸イミド系分散剤の配合量は、組成物全量基準で、通常の０．０５〜１０質量％程度であり、好ましくは０．１〜５質量％である。
【００２２】
本発明においては、さらに、極圧剤、耐摩耗剤、油性剤、酸化防止剤、防錆剤、金属不活性化剤及び消泡剤などを配合することができる。
前記極圧剤、耐摩耗剤としては、例えば、ジチオリン酸亜鉛（ＺｎＤＴＰ）、ジチオカルバミン酸亜鉛（ＺｎＤＴＣ）、硫化オキシモリブデンオルガノホスホロジチオエート（ＭｏＤＴＰ）、硫化オキシモリブデンジチオカルバメート（ＭｏＤＴＣ）などの有機金属系化合物が挙げられる。これらの配合量は、潤滑油組成物全量基準で、通常０．０５〜５質量％、好ましくは０．１〜３質量％である。
また、油性剤としては、ステアリン酸、オレイン酸などの脂肪族飽和及び不飽和モノカルボン酸、ダイマー酸、水添ダイマー酸などの重合脂肪酸、リシノレイン酸、１２−ヒドロキシステアリン酸などのヒドロキシ脂肪酸、ラウリルアルコール、オレイルアルコールなどの脂肪族飽和及び不飽和モノアルコール、ステアリルアミン、オレイルアミンなどの脂肪族飽和及び不飽和モノアミン、ラウリン酸アミド、オレイン酸アミドなどの脂肪族飽和及び不飽和モノカルボン酸アミドなどが挙げられる。
これらの油性剤の好ましい配合量は、潤滑油組成物全量基準で０．０１〜１０質量％の範囲であり、０．１〜５質量％の範囲が特に好ましい。
【００２３】
酸化防止剤の例としては、アミン系酸化防止剤、フェノール系酸化防止剤及び硫黄系酸化防止剤などが挙げられる。
アミン系酸化防止剤としては、例えば、モノオクチルジフェニルアミン、モノノニルジフェニルアミンなどのモノアルキルジフェニルアミン系、４，４’−ジブチルジフェニルアミン、４，４’−ジペンチルジフェニルアミン、４，４’−ジヘキシルジフェニルアミン、４，４’−ジヘプチルジフェニルアミン、４，４’−ジオクチルジフェニルアミン、４，４’−ジノニルジフェニルアミンなどのジアルキルジフェニルアミン系、テトラブチルジフェニルアミン、テトラヘキシルジフェニルアミン、テトラオクチルジフェニルアミン、テトラノニルジフェニルアミンなどのポリアルキルジフェニルアミン系、α−ナフチルアミン、フェニル−α−ナフチルアミン、ブチルフェニル−α−ナフチルアミン、ペンチルフェニル−α−ナフチルアミン、ヘキシルフェニル−α−ナフチルアミン、ヘプチルフェニル−α−ナフチルアミン、オクチルフェニル−α−ナフチルアミン、ノニルフェニル−α−ナフチルアミンなどのナフチルアミン系を挙げることができ、中でもジアルキルジフェニルアミン系ものが好ましい。
【００２４】
フェノール系酸化防止剤としては、例えば、２，６−ジ−ｔｅｒｔ−ブチル−４−メチルフェノール、２，６−ジ−ｔｅｒｔ−ブチル−４−エチルフェノールなどのモノフェノール系、４，４’−メチレンビス（２，６−ジ−ｔｅｒｔ−ブチルフェノール）、２，２’−メチレンビス（４−エチル−６−ｔｅｒｔ−ブチルフェノール）などのジフェノール系を挙げることができる。
硫黄系酸化防止剤としては、例えばフェノチアジン、ペンタエリスリトール−テトラキス−（３−ラウリルチオプロピオネート）、ビス（３，５−ｔｅｒｔ−ブチル−４−ヒドロキシベンジル）スルフィド、チオジエチレンビス（３−（３，５−ジ−ｔｅｒｔ−ブチル−４−ヒドロキシフェニル））プロピオネート、２，６−ジ−ｔｅｒｔ−ブチル−４−（４，６−ビス（オクチルチオ）−１，３，５−トリアジン−２−メチルアミノ）フェノールなどが挙げられる。
これらの酸化防止剤は、一種を単独で用いてもよく、二種以上を組み合わせて用いてもよい。また、その配合量は、潤滑油組成物全量基準で、通常０．０１〜１０質量％、好ましくは０．０３〜５質量％の範囲で選定される。
【００２５】
防錆剤としては、例えば、ドデセニルコハク酸ハーフエステル、オクタデセニルコハク酸無水物、ドデセニルコハク酸アミドなどのアルキル又はアルケニルコハク酸誘導体、ソルビタンモノオレエート、グリセリンモノオレエート、ペンタエリスリトールモノオレエートなどの多価アルコール部分エステル、ロジンアミン、Ｎ−オレイルザルコシンなどのアミン類、ジアルキルホスファイトアミン塩等が挙げられる。これらは、一種を単独で用いてもよく、二種以上を組み合わせて用いてもよい。
これら防錆剤の好ましい配合量は、潤滑油組成物全量基準で０．０１〜５質量％の範囲であり、０．０５〜２質量％の範囲が特に好ましい。
金属不活性化剤としては、例えば、ベンゾトリアゾール系、チアジアゾール系、没食子酸エステル系の化合物等が使用可能である。これら金属不活性化剤の好ましい配合量は、潤滑油組成物全量基準で０．０１〜０．５質量％であり、０．０１〜０．２質量％の範囲が特に好ましい。
【００２６】
消泡剤の例としては、液状シリコーンが適しており、メチルシリコーン、フルオロシリコーン、ポリアクリレートが挙げられる。
これら消泡剤の好ましい配合量は、潤滑油組成物全量基準で０．０００５〜０．０１質量％である。
【００２７】
本発明の自動変速機用潤滑油組成物は、伝達トルク容量が大きく、かつ耐変速ショック性が良好な省燃費性に優れる自動変速機用潤滑油組成物であるとともに、低粘度かつ高粘度指数の潤滑油であっても、せん断安定性及び耐疲労性（耐久性）に優れるとともに、伝達トルク容量が大きく、かつ耐変速ショック性が良好な省燃費性に優れる自動変速機用潤滑油組成物である。
したがって、本発明の組成物（自動変速機用潤滑油組成物）は、１００℃における動粘度が７．０ｍｍ2／ｓ以下であることが好ましく、粘度指数が２３０以上、さらには２４０以上であることが好ましい。
【実施例】
【００２８】
次に、本発明を実施例により、さらに詳細に説明するが、本発明は、これらの例によってなんら限定されるものではない。
なお、基油及び組成物の物性は、下記の方法に従って求めた。
＜基油及び潤滑油組成物＞
（１）動粘度（４０℃、１００℃）
ＪＩＳ Ｋ ２２８３に準拠して測定した。
（２）粘度指数（VI）
ＪＩＳ Ｋ ２２８３に準拠して測定した。
（３）硫黄分含有量
ＪＩＳ Ｋ ２５４１に準拠して測定した。
＜潤滑油組成物＞
（４）せん断安定性
ＤＩＮ  ５２３５０−６に準拠し、ＫＲＬせん断試験機を用いて９６時間せん断後の組成物の１００℃動粘度を測定した。【００２９】
（５）歯車耐久試験（疲労寿命）
ＦＺＧ歯車試験により、下記の実験条件、及び評価基準で疲労寿命を評価した。
（実験条件）；
ならし運転：荷重６ステージ、油温６０℃、実験時間２時間
本運転    ：荷重９ステージ、油温９０℃
（評価基準）
５ｍｍの疲労痕が発生するまでの時間（ｈｒｓ）を疲労寿命として測定した。
（６）変速クラッチ摩擦特性
ＳＡＥＮｏ．２試験機を用い、ＪＡＳＯ規格Ｍ３４８−２００２に準拠し、下記の実験条件で、５０００サイクルの摩擦実験を行った。
（実験条件）
面圧      ：１ＭＰａ
油温      ：１００℃
回転数    ：３６００ｒｐｍ
摩擦材    ：セルロース系
耐久サイクル：５０００
（評価方法）
５０００サイクル終了時のμ1800，μ200を測定し、μ200／μ1800を算出した。
μ1800が大きい程、伝達トルク容量が大きく、μ200／μ1800が小さい程、変速ショック防止性が良好である。【００３０】
実施例１〜４、参考例及び比較例１〜５
第１表に示す基油及び添加剤を用い、第１表に示す割合で配合して、変速機油組成物を調製し、その性状及び性能を測定した。結果を第１表に示す。
【００３１】
【表１】
0005629587.tif 000002
【００３２】
［注］
１）鉱油１：６０Ｎ水素化精製油、１００℃動粘度２．２ｍｍ2／ｓ、粘度指数１０９、％Ｃｐ７９．１、密度（１５℃）０．８２１２ｇ／ｃｍ3
２）鉱油２：１５０Ｎ水素化精製油、１００℃動粘度６．０ｍｍ2／ｓ、粘度指数１２１，％Ｃｐ７９．２，密度（１５℃）０．８４２３ｇ／ｃｍ3
３）ＰＭＡ１：ポリメタクリレート（非分散型）、重量平均分子量３００００
４）ＰＭＡ２：ポリメタクリレート（非分散型）、重量平均分子量１２００００
５）ＰＭＡ３：ポリメタクリレート（非分散型）、重量平均分子量２７００００
６）ＰＭＡ４：ポリメタクリレート（非分散型）、重量平均分子量５０００００
７）硫黄化合物１：チオジプロピオン酸ジトリデシル、酸価０．３ｍｇＫＯＨ／ｇ
８）硫黄化合物２：チオジプロピオン酸ジトリデシル、酸価０．８ｍｇＫＯＨ／ｇ
９）硫黄化合物３：チオジプロピオン酸ジトリデシル、酸価１．２ｍｇＫＯＨ／ｇ
１０）その他の添加剤
酸化防止剤（フェノール系及びアミン系の混合物）、塩基価３００ｍｇＫＯＨ／ｇのＣａスルフォネート、ポリブテニルコハク酸イミド、金属不活性化剤、消泡剤等を含む。
【００３３】
第１表から分かるように、本発明の潤滑油組成物（実施例１〜４）は、いずれもμ1800が０．１３０を超え、伝達トルク容量が大きく、同時にμ200／μ1800が０．９０以下であり、変速シヨック防止性能が良好である。また、せん断後の１００℃動粘度が４．８ｍｍ2／ｓ以上でありせん断安定に優れ、かつＦＺＧ歯車試験における疲労寿命が８０時間以上であって耐久性にも優れる。さらに、組成物の粘度指数が高く２３０以上である。
これに対し、本発明の（Ｃ）成分を配合しない比較例１，２の組成物は、μ1800が０．１２５以下で伝達トルク容量が小さく、省燃費の課題を達成することが困難である。
【産業上の利用可能性】
【００３４】
本発明の自動変速機用潤滑油組成物は、伝達トルク容量が大きく、かつ耐変速ショック性が良好な省燃費性に優れる自動変速機用潤滑油組成物であり、低粘度かつ高粘度指数の潤滑油であっても、せん断安定性及び耐疲労性（耐久性）に優れるとともに、伝達トルク容量が大きく、かつ耐変速ショック性が良好な省燃費性に優れる自動変速機用潤滑油組成物である。
したがって、省燃費化に効果的に寄与できる自動変速機用潤滑油組成物として、有効に利用できる。